(57)【要約】【課題】有線放送を受信できない場合にＦＭ放送による告知放送を確実に受信することのできる告知放送受信機を提供する。【解決手段】伝送線を介して送信される信号を受信する第一受信手段３２と、無線で送信される複数チャンネルの信号のうち一のチャンネルの信号を選択的に受信する第二受信手段３３と、センター装置１から無線で送信される特定チャンネルの信号のみを受信する第三受信手段３４とを備え、第一受信手段３２は伝送線の断線の有無を検出できるように構成され、第一受信手段３２が伝送線の断線を検出した場合に第三受信手段３４がセンター装置１からの所定の信号を受信すると、第二受信手段３３はセンター装置１から無線で送信される特定チャンネルの信号を受信可能状態となる。【選択図】図３
2015119306.tif 000002
【特許請求の範囲】
【請求項１】
センター装置からの告知放送を受信する告知放送受信機において、
伝送線を介して送信される信号を受信する第一受信手段と、無線で送信される複数チャンネルの信号のうち一のチャンネルの信号を選択的に受信する第二受信手段と、前記センター装置から無線で送信される特定チャンネルの信号のみを受信する第三受信手段とを備え、前記第一受信手段は前記伝送線の断線の有無を検出できるように構成され、
前記第一受信手段が前記伝送線の断線を検出した場合に前記第三受信手段が前記センター装置からの所定の信号を受信すると、前記第二受信手段は前記センター装置から無線で送信される特定チャンネルの信号を受信可能状態となることを特徴とする告知放送受信機。
【請求項２】
前記伝送線が接続される伝送線接続部と、無線信号を受信可能なアンテナと、前記第二受信手段の接続を前記伝送線接続部側と前記アンテナ側のいずれかに切替可能なスイッチ部とを有し、
前記第一受信手段が前記伝送線の断線を検出した場合、前記スイッチ部は前記第二受信手段を前記アンテナ側に接続させることを特徴とする請求項１記載の告知放送受信機。
【発明の詳細な説明】
【技術分野】
【０００１】
本発明は、有線放送による災害時等における告知放送を受信する告知放送受信機に関し、特に伝送線が断線した場合であってもＦＭ放送によって確実に告知放送を受信できる告知放送受信機に関する。
【背景技術】
【０００２】
ケーブルテレビ用のＣＡＴＶ網やＦＴＴＨ用の光ファイバー網などの伝送線による有線放送を用いた告知放送のシステムが広く用いられている。告知放送は、地震などの災害に関する情報や地域の情報、あるいは行政情報などを伝達するものであり、役所などに設置されるセンター装置と、各家庭に設置される告知放送受信機によって構成される。
【０００３】
告知放送は有線放送によって行われるため、災害時等において伝送線に断線が生じると、放送を行うことができなくなってしまう。伝送線に断線が生じても確実に告知放送を行うため、そのような場合には有線放送に替えてＦＭ放送により、告知放送を伝達するシステムが知られている。このようなシステムにおいては、地域のコミュニティＦＭ局からＦＭ放送が送信され、告知放送受信機には有線放送を受信するチューナーの他、ＦＭアンテナも設けられていて、ＦＭ放送を受信することができるように構成される。
【０００４】
伝送線の断線時にＦＭ放送を用いる告知放送システムにおける告知放送受信機の従来構成について説明する。図５には、従来の告知放送受信機の構成図を示している。この告知放送受信機では、ＣＡＴＶ網５０からの伝送線はＣＡＴＶ接続部５１に接続され、その他にＦＭアンテナ５２を備えている。ＦＭアンテナ５２は、スイッチ５３によりオン・オフを切替えることができる。
【０００５】
ＣＡＴＶ接続部５１及びＦＭアンテナ５２は、混合・分配器５４を介して制御信号受信機５５及び音声受信チューナー５６に接続されている。制御信号受信機５５は、ＣＡＴＶ網５０を介して送信される制御信号の有無を常時監視しており、制御信号を受信した場合には、音声受信チューナー５６を起動させると共に、そのチャンネルを告知放送のチャンネルに合わせる。これにより、制御信号に引き続いて送信される告知放送を、音声出力部５７から出力させることができる。また、制御信号受信機５５は、ＣＡＴＶ網５０からの信号レベルも監視しており、この信号レベルが低下した場合には、伝送線に断線が生じているものと判断する。
【０００６】
音声受信チューナー５６は、ＣＡＴＶ網からの有線放送とＦＭアンテナ５２からのＦＭ放送の両方を受信することができる。制御信号受信機５５において伝送線に断線が生じていると判断した場合、ＦＭアンテナ５２のスイッチ５３は自動的にオンとなり、ＦＭ放送による告知放送を受信可能な状態となる。このような告知放送受信機としては、例えば特許文献１に挙げるようなものがある。
【先行技術文献】
【特許文献】
【０００７】
【特許文献１】特許第４８８１４９５号公報
【発明の概要】
【発明が解決しようとする課題】
【０００８】
従来の告知放送受信機の構成では、音声受信チューナー５６において告知放送が行われるチャンネル以外にチューニングされている状態では、ＦＭアンテナ５２を介して受信した制御信号を検知することができない。例えば、制御信号受信機５５で伝送線に断線が生じていると判断した時点では、音声受信チューナー５６は告知放送が行われるチャンネルにチューニングされているが、その後に他のチャンネルに切替えた場合などは、制御信号を検知できず、告知放送を受信することもできない。
【０００９】
本発明は前記課題を鑑みてなされたものであり、有線放送を受信できない場合にＦＭ放送による告知放送を確実に受信することのできる告知放送受信機を提供することを目的とする。
【課題を解決するための手段】
【００１０】
前記課題を解決するため、請求項１の発明に係る告知放送受信機は、センター装置からの告知放送を受信する告知放送受信機において、
伝送線を介して送信される信号を受信する第一受信手段と、無線で送信される複数チャンネルの信号のうち一のチャンネルの信号を選択的に受信する第二受信手段と、前記センター装置から無線で送信される特定チャンネルの信号のみを受信する第三受信手段とを備え、前記第一受信手段は前記伝送線の断線の有無を検出できるように構成され、
前記第一受信手段が前記伝送線の断線を検出した場合に前記第三受信手段が前記センター装置からの所定の信号を受信すると、前記第二受信手段は前記センター装置から無線で送信される特定チャンネルの信号を受信可能状態となることを特徴として構成されている。
【００１１】
請求項１に係る発明によれば、伝送線が断線している場合に、第二受信手段の状態に関わらず第三受信手段により特定チャンネルの信号を検出することができる。
【００１２】
また、請求項２の発明に係る告知放送受信機は、前記伝送線が接続される伝送線接続部と、無線信号を受信可能なアンテナと、前記第二受信手段の接続を前記伝送線接続部側と前記アンテナ側のいずれかに切替可能なスイッチ部とを有し、
前記第一受信手段が前記伝送線の断線を検出した場合、前記スイッチ部は前記第二受信手段を前記アンテナ側に接続させることを特徴として構成されている。
【００１３】
請求項２に係る発明によれば、伝送線の断線時であっても無線による告知放送を確実に受信することができる。
【発明の効果】
【００１４】
本発明に係る告知放送受信機によれば、伝送線が断線して有線放送を受信できない場合に、第二受信手段の状態に関わらず第三受信手段により特定チャンネルの信号を検出することができるため、告知放送の送信時には当該信号の検出に基づいて第二受信手段を特定チャンネルに切替えることで、確実にＦＭ放送による告知放送を受信することができる。
【図面の簡単な説明】
【００１５】
【図１】告知放送システムの全体構成図である。
【図２】告知放送受信機の構成図である。
【図３】伝送線の断線時における告知放送受信機の構成図である。
【図４】告知放送受信機のフローチャートである。
【図５】従来の告知放送受信機の構成図である。
【発明を実施するための形態】
【００１６】
本発明の実施形態について図面に沿って詳細に説明する。図１には、告知放送システムの全体構成図を示している。告知放送システムは、放送の発信元であるセンター装置１と、伝送線であるＣＡＴＶ網４を介して有線で接続された複数の告知放送受信機３と、通話路５を介して接続されたコミュニティＦＭ局２とで構成されている。センター装置１は役所などに設置され、個々の告知放送受信機３は、家庭などにおいて設置されるものである。
【００１７】
コミュニティＦＭ局２は、特定の地域に対してＦＭ放送を行う放送局であって、通常は地域に密着した情報などを無線放送しているが、緊急時等においては通話路５を介して接続されたセンター装置１からの告知放送も無線で送信することができる。
【００１８】
センター装置１は、放送データ処理及び放送データ伝送制御を行う告知放送制御装置１０と、告知放送制御装置１０からのデータに基づき告知放送を変調して送信する告知放送送信機１１と、告知放送制御装置１０からのデータをコミュニティＦＭ局２に送信するＦＭコントローラ１２と、ＦＭコントローラ１２と通話路５とを接続する専用回線１３とを有して構成されている。告知放送制御装置１０は、放送信号の設定入力や、放送内容である音声の入力を行うことができる。告知放送制御装置１０からの出力は、告知放送送信機１１においてＦＭ変調され、ＣＡＴＶ網４に送信される。
【００１９】
告知放送受信機３は、ＣＡＴＶ網４に対して有線で接続されるＣＡＴＶ接続部３０と、コミュニティＦＭ局２を含むＦＭ放送を受信可能なＦＭアンテナ３１とを有している。告知放送受信機３は、告知放送のみならず複数チャンネルの有線放送を受信することができる。また、ＦＭアンテナ３１を介してコミュニティＦＭ局２のみならず複数チャンネルのＦＭ放送を受信することができる。
【００２０】
センター装置１から送信される告知放送には、告知放送受信機３に接続される音声出力部３５によって放送される音声情報と、告知放送の種類及び告知放送の対象となる端末情報からなる種別データや、放送開始／終了などの制御情報が含まれる。告知放送受信機３は、告知放送に含まれる制御情報に基づいて放送制御される。
【００２１】
コミュニティＦＭ局２は、放送データ処理及び放送データ伝送制御を行う放送制御装置２０と、放送信号を放送制御装置２０に入力するＣＦＭ（コミュニティＦＭ）放送卓２１と、ＦＭ放送を無線送信するＣＦＭ送信機２２と、通話路５と放送制御装置２０とを接続する専用回線２３とを有して構成されている。コミュニティＦＭ局２では、通常はＣＦＭ放送卓２１から入力された放送信号をＣＦＭ送信機２２から送信しているが、緊急時など所定の場合には、センター装置１からの告知放送をＣＦＭ送信機２２から送信することができ、当該送信された告知放送は告知放送受信機３のＦＭアンテナ３１で受信される。
【００２２】
図２には、告知放送受信機３の構成図を示している。告知放送受信機３は、原則として伝送路であるＣＡＴＶ網４に接続されていて、有線放送及びラジオ放送を、伝送路を介して受信することができる。図２は告知放送受信機３の通常時の状態を表している。告知放送受信機３は、前述のＣＡＴＶ接続部３０及びＦＭアンテナ３１の他、告知放送を含む有線放送をＣＡＴＶ網４から受信する第一受信手段たるチューナー３２と、告知放送を含むＦＭ放送をＣＡＴＶ網４または無線によって受信する第二受信手段たるラジオチューナー３３と、告知放送のみを無線によって受信する第三受信手段たるＣＦＭ受信部３４とを有している。チューナー３２とラジオチューナー３３は、いずれもスピーカー等の音声出力部３５に接続されており、受信した放送を音声出力することができる。
【００２３】
チューナー３２は、ＣＡＴＶ接続部３０と接続されている。また、ラジオチューナー３３及びＣＦＭ受信部３４は、スイッチ３６によってＣＡＴＶ接続部３０とＦＭアンテナ３１のいずれか一方と選択的に接続可能とされている。通常時においては、ラジオチューナー３３及びＣＦＭ受信部３４は、スイッチ３６によってＣＡＴＶ接続部３０側に接続されている。このとき、ＣＦＭ受信部３４は特に機能しないが、ラジオチューナー３３はＣＡＴＶ網４からのＦＭ放送の信号を受信して復調し、音声出力部３５に音声信号を出力する。ＦＭ放送では、コミュニティＦＭ局２のチャンネルを含む複数チャンネルが同時に放送されており、ラジオチューナー３３は複数チャンネルの放送信号のうち一のチャンネルを選択して音声信号を復調し出力することができる。
【００２４】
チューナー３２は、ＣＡＴＶ網４を介して受信する放送信号に含まれる制御情報に基づいて動作し、放送信号のうち音声信号を復調して出力することができる。告知放送においては、音声信号が送信される前に告知放送が開始されることを示す制御情報が送信され、待機状態のチューナー３２は、告知放送開始の制御情報を受信することで動作状態となり、続いて受信する音声信号を復調して音声出力部３５に出力する。
【００２５】
また、チューナー３２は、ＣＡＴＶ網４の伝送線が断線しているか否かにつき、常時監視している。伝送線の断線は、地震等の災害時に生じる可能性があるが、告知放送は災害時の連絡・告知手段として活用されるものであるから、有線放送が受信できる状態にあるか否かを判別できることは、告知放送受信機３において重要な機能となる。チューナー３２は、伝送線からの信号レベルを監視しており、これが所定値以下となった場合に、伝送線が断線しているものと判別する。
【００２６】
チューナー３２において、伝送線が断線していると判別されると、スイッチ３６が切替えられる。図３には、伝送線の断線時における告知放送受信機３の構成図を示している。伝送線が断線している場合には、スイッチ３６によってラジオチューナー３３とＣＦＭ受信部３４は、ＦＭアンテナ３１側に接続される。ＦＭアンテナ３１では、前述のように複数チャンネルのＦＭ放送を受信することができ、ラジオチューナー３３では複数チャンネルのうち一のチャンネルのＦＭ放送を選択して復調し、音声出力部３５に出力することができる。
【００２７】
ラジオチューナー３３とＣＦＭ受信部３４がＦＭアンテナ３１に接続している場合に、コミュニティＦＭ局２から告知放送開始の制御情報が送信されると、常にコミュニティＦＭ局２のチャンネルのみを受信しているＣＦＭ受信部３４はこれを受信し、ラジオチューナー３３をコミュニティＦＭ局２のチャンネルに切替える。これにより、告知放送が送信された際に、ラジオチューナー３３で別のチャンネルが選択されていた場合であっても、ラジオチューナー３３が強制的にコミュニティＦＭ局２のチャンネルに切替えられることにより、確実に告知放送を受信することができる。
【００２８】
告知放送受信機３における動作について詳細に説明する。図４には、告知放送受信機３のフローチャートを示している。通常時において、告知放送受信機３のチューナー３２は待機状態であって、伝送線の断線の有無を監視している（Ｓ１）。断線がなければ、伝送線からの告知信号開始の制御信号の有無を検出する（Ｓ２）。制御信号がない間、チューナー３２はＳ１とＳ２を繰り返す。
【００２９】
Ｓ２においてチューナー３２が告知放送開始の制御信号を受信した場合、チューナー３２は起動状態となり（Ｓ３）、続く告知放送を受信して復調し、音声出力部３５に出力する（Ｓ４）。告知放送を行ったら再びＳ１に戻って伝送線の断線の有無を監視する。
【００３０】
Ｓ１において伝送線の断線を検出した場合、スイッチ３６が切替わって図２から図３の状態となる（Ｓ５）。すなわち、ラジオチューナー３３及びＣＦＭ受信部３４は、ＦＭアンテナ３１に接続された状態となる。その後、ＣＦＭ受信部３４はコミュニティＦＭ局２からの告知放送開始の制御信号の有無を検出する（Ｓ６）。制御信号が検出されるまで、ＣＦＭ受信部３４はその動作を繰り返す。
【００３１】
Ｓ６において告知放送開始の制御信号をＣＦＭ受信部３４が受信した場合、ラジオチューナー３３はチャンネルを告知放送が送信されるコミュニティＦＭ局２のチャンネルに切替えられる（Ｓ７）。なお、Ｓ６の時点でラジオチューナー３３においてコミュニティＦＭ局２のチャンネルが既に選択されていた場合には、特に動作は行われない。コミュニティＦＭ局２のチャンネルを選択されたラジオチューナー３３は、続く告知放送を受信して復調し、音声出力部３５に出力する（Ｓ８）。告知放送を行ったら、スイッチ３６を再度切替えて図３から図２の状態とし（Ｓ９）、再びＳ１に戻る。
【００３２】
このように、チューナー３２で伝送線の断線監視を行い、伝送線が断線している場合にはラジオチューナー３３とＣＦＭ受信部３４をＦＭアンテナ３１に接続し、ＣＦＭ受信部３４では告知放送を送信するコミュニティＦＭ局２のチャンネルのみを受信するようにして、告知放送開始の制御信号を待機するようにしたので、伝送線の断線時にラジオチューナー３３でコミュニティＦＭ局２以外のチャンネルが選択されていたとしても、告知放送の開始を確実に検出し、受信することができる。
【００３３】
また、ラジオチューナー３３及びＣＦＭ受信部３４を、伝送線の断線時にはスイッチ３６によりＦＭアンテナ３１に切替えるので、伝送線の断線時であってもコミュニティＦＭ局２からの告知放送を確実に受信することができ、災害時等にも告知放送により情報を得ることが可能となる。
【００３４】
以上、本発明の実施形態について説明したが、本発明の適用は本実施形態には限られず、その技術的思想の範囲内において様々に適用されうるものである。なお、図２及び図３のラジオチューナー３３に図示しないＡＭアンテナを直接接続することで、ＦＭ放送とＡＭ放送の両方を受信することが可能となる。
【符号の説明】
【００３５】
１    センター装置
２    コミュニティＦＭ局
３    告知放送受信機
４    ＣＡＴＶ網
５    通話路
１０    告知放送制御装置
１１    告知送信機
１２    ＦＭコントローラ
１３    専用回線
２０    放送制御装置
２１    ＣＦＭ放送卓
２２    ＣＦＭ送信機
２３    専用回線
３０    ＣＡＴＶ接続部
３１    ＦＭアンテナ
３２    チューナー
３３    ラジオチューナー
３４    ＣＦＭ受信機
３５    音声出力部
３６    スイッチ
【図１】
2015119306.tif 000003
【図２】
2015119306.tif 000004
【図３】
2015119306.tif 000005
【図４】
2015119306.tif 000006
【図５】
2015119306.tif 000007